(57)【要約】【課題】互いに作業性良く連結可能とされるとともに、連結された天板付什器どうしを作業性良く分離可能とされた天板付什器を提供する。【解決手段】天板付什器１０は、床面Ｆに立設される脚体１と、脚体１に支持され作業面２０Ｕを有する天板部２０、及び天板部２０の奥行方向の一端部の一方並びに他方の隅部からそれぞれ下方に突出する第一突出部並び第二突出部を有する天板２と、第一突出部に設けられた磁石３０，４０と、第二突出部に設けられ、磁石３０，４０に磁力により吸着可能とされた吸着体５０と、を備えることを特徴とする。【選択図】図１
2016209292.tif 000002
【特許請求の範囲】
【請求項１】
床面に立設される脚体と、
該脚体に支持され作業面を有する天板部、及び該天板部の奥行方向の両隅部からそれぞれ下方に突出する第一突出部並びに第二突出部を有する天板と、
前記第一突出部に設けられた磁石と、
前記第二突出部に設けられ、前記磁石の磁力により吸着可能とされた吸着体と、を備えることを特徴とする天板付什器。
【請求項２】
前記磁石は、
前記第一突出部における前記天板部の前記奥行方向と交差する幅方向の一端部に設けられた第一磁石部と、
前記第一突出部における前記天板部の前記奥行方向の前記一端部に設けられた第二磁石部と、を有し、
前記吸着体は、
前記第二突出部における前記天板部の前記幅方向の他端部に設けられ、前記第一磁石部の磁力により吸着可能とされた第一吸着部と、
前記第二突出部における前記天板部の前記奥行方向の前記一端部に設けられ、前記第二磁石部の磁力により吸着可能とされた第二吸着部と、を有することを特徴とする請求項１に記載の天板付什器。
【請求項３】
前記磁石は、前記天板部の前記奥行方向の前記一端部及び前記幅方向の前記一端部に沿って配置され、
前記吸着体は、前記天板部の前記奥行方向の前記一端部及び前記幅方向の前記他端部に沿って配置されていることを特徴とする請求項２に記載の天板付什器。
【請求項４】
前記脚体は、前記第一突出部及び前記第二突出部よりも前記天板部における前記奥行方向の前記他端部側で、前記天板部に連結されていることを特徴とする請求項２または３に記載の天板付什器。
【請求項５】
前記天板部には、前記天板部の前記奥行方向の前記一端部から下方に突出する天板補強部が一体的に設けられ、
前記第一突出部は前記天板補強部における前記天板部の前記幅方向の前記一端部であり、前記第二突出部は前記天板補強部における前記天板部の前記幅方向の前記他端部であることを特徴とする請求項２から４のいずれか一項に記載の天板付什器。
【請求項６】
前記磁石は前記第一突出部から前記天板部にまで上下方向にわたって配置されるとともに、前記吸着体は前記第二突出部から前記天板部にまで上下方向にわたって配置されていることを特徴とする請求項２から５のいずれか一項に記載の天板付什器。
【請求項７】
前記天板部の前記奥行方向の前記一端部の下部には、天板補強部材が取り付けられ、
前記第一突出部は前記天板補強部材における前記天板部の前記幅方向の前記一端部であり、前記第二突出部は前記天板補強部材における前記天板部の前記幅方向の前記他端部であることを特徴とする請求項２から４のいずれか一項に記載の天板付什器。
【発明の詳細な説明】
【技術分野】
【０００１】
本発明は、天板付什器に関する。
【背景技術】
【０００２】
大学等の教育施設やオフィスにおいては、利用者に作業エリアを提供するために、一般的にデスク装置等の天板が設けられた什器が設置されている。
教育施設において、各生徒が什器を個別に利用して学習する形態と、複数の生徒が什器とともに集まってグループディスカッション等をする形態とがとられることがある。このように、個別利用が可能であるとともに、天板どうしを隣接させて一の大きな作業台を形成できるように連結可能な什器が望まれている。
【０００３】
そこで、平面視矩形状をなす天板の側面に、天板の辺に沿って複数の磁石が離間して設けられたテーブルが提案されている。このテーブルでは、一のテーブルの天板に設けられた磁石と他のテーブルの天板に設けられた磁石との磁力により、天板どうしを仮固定できる（下記特許文献１参照）。
【０００４】
また、天板の縁に設けられ軸部を中心に回動可能な係合部材と、天板の縁に設けられた係合受部材と、を備え、係合部材及び係合受部材にそれぞれ磁石が設けられたテーブルが提案されている。このテーブルどうしを接近させると、係合部材の磁石と係合受部材の磁石との磁力により、係合部材が軸部を中心に回動し係合受部材に係合する。また、係合受部材が設けられた天板の孔から操作桿を挿入し、操作桿で係合部材を押圧して元の位置まで回動させれば、係合部材と係合受部材との係合が解除される（下記特許文献２参照）。
【先行技術文献】
【特許文献】
【０００５】
【特許文献１】実用新案登録第３０００５７３号公報
【特許文献２】特許第５３４４４３５号公報
【発明の概要】
【発明が解決しようとする課題】
【０００６】
しかしながら、上記の特許文献１に記載のテーブル等の什器では、利用者は、一の什器の天板に設けられた磁石の位置を把握しつつ什器を移動させ、当該磁石を他の什器の天板に設けられた磁石にピンポイントで位置合わせしなければならない。天板の厚み内に配置された一の什器の磁石と他の什器の磁石とを目測で位置合わせするため、当該磁石の位置等が把握しづらく、磁石どうしの位置合わせがしづらいという問題点があった。
また、上記の特許文献２にテーブルでは、連結されたテーブルどうしを分離させる際に、天板の孔から操作桿を挿入して、係合部材を押圧して係合受部材との係合を解除してから、テーブルどうしを引き離す必要があり、操作が煩わしいという問題点がある。
【０００７】
本発明は、上記事情に鑑みてなされたものであり、互いに作業性良く連結可能とされるとともに、連結された天板付什器どうしを作業性良く分離可能とされた天板付什器を提供するものである。
【課題を解決するための手段】
【０００８】
上記目的を達成するために、本発明は以下の手段を採用している。
すなわち、本発明に係る天板付什器は、床面に立設される脚体と、該脚体に支持され作業面を有する天板部、及び該天板部の奥行方向の両隅部からそれぞれ下方に突出する第一突出部並びに第二突出部を有する天板と、前記第一突出部に設けられた磁石と、前記第二突出部に設けられ、前記磁石の磁力により吸着可能とされた吸着体と、を備えることを特徴とする。
【０００９】
このように構成された天板付什器では、天板部の奥行方向の一端部の一方の隅部から下方に突出する第一突出部に磁石が設けられるとともに、天板部の奥行方向の一端部の他方の隅部から下方に突出する第二突出部に磁石の磁力により吸着可能とされた吸着体が設けられている。例えば、一の天板付什器の磁石を他の天板付什器の吸着体に磁力により吸着させる際には、各天板部から下方に突出する第一突出部及び第二突出部を視認し、第一突出部と第二突出部とを大まかに位置合わせした後、天板部の奥行方向に位置を微調整すれば、第一突出部と第二突出部とが吸着する。このように、第一突出部及び第二突出部はそれぞれ天板部の隅部に設けられており且つ天板部から下方に突出して目立つため、第一突出部及び第二突出部の位置を把握しやすい。よって、磁石及び吸着体の天板部の奥行方向及び幅方向の位置合わせをしやすいため、天板付什器どうしを作業性良く連結することができる。
また、各天板付什器の天板どうしを引き離せば、第一突出部に設けられた磁石と第二突出部に設けられた吸着体とは離れるため、天板付什器どうしを容易に分離することができる。
【００１０】
また、本発明に係る天板付什器では、前記磁石は、前記第一突出部における前記天板部の前記奥行方向と交差する幅方向の一端部に設けられた第一磁石部と、前記第一突出部における前記天板部の前記奥行方向の前記一端部に設けられた第二磁石部と、を有し、前記吸着体は、前記第二突出部における前記天板部の前記幅方向の他端部に設けられ、前記第一磁石部の磁力により吸着可能とされた第一吸着部と、前記第二突出部における前記天板部の前記奥行方向の前記一端部に設けられ、前記第二磁石部の磁力により吸着可能とされた第二吸着部と、を有することが好ましい。
【００１１】
このように構成された天板付什器では、一の天板付什器と他の天板付什器とにおいて、第一突出部における天板部の幅方向の一端部に設けられた第一磁石部と第二突出部における天板部の幅方向の他端部に設けられた第一吸着部とを、第一磁石部の磁力により吸着させることで、一の天板付什器と他の天板付什器とを各天板部の幅方向に連結することができる。
また、一の天板付什器と他の天板付什器とにおいて、第一突出部における天板部の奥行方向の一端部に設けられた第二磁石部と第二突出部における天板部の奥行方向の一端部に設けられた第二吸着部とを、第二磁石部の磁力により吸着させることで、一の天板付什器と他の天板付什器とを各天板部の奥行方向に連結することができる。
【００１２】
また、本発明に係る天板付什器は、前記磁石は、前記天板部の前記奥行方向の前記一端部及び前記幅方向の前記一端部に沿って配置され、前記吸着体は、前記天板部の前記奥行方向の前記一端部及び前記幅方向の前記他端部に沿って配置されていてもよい。
【００１３】
このように構成された天板付什器では、磁石及び吸着体は天板部の奥行方向の一端部に沿って配置されているため、天板付什器どうしを奥行方向に連結する際には奥行方向（対向する方向）への吸着力が大きくなる。また、磁石及び吸着体はそれぞれ天板部の幅方向の一端部及び他端部に沿って配置されているため、天板付什器どうしを幅方向に連結する際には幅方向（対向する方向）への吸着力が大きくなる。よって、天板付什器どうしを奥行方向及び幅方向に強固に連結することができる。その一方で、天板付什器どうしが対向する方向と交差する方向や、磁石と吸着体とを離間させるように回転させる方向への吸着力は小さくなり、当該方向に離間させることで天板付什器どうしを容易に分離することができる。
【００１４】
また、本発明に係る天板付什器は、前記脚体は、前記第一突出部及び前記第二突出部よりも前記天板部における前記奥行方向の前記他端部側で、前記天板部に連結されていていてもよい。
【００１５】
このように構成された天板付什器では、脚体は第一突出部及び第二突出部よりも天板部における奥行方向の他端部側で天板部に連結されているため、脚体が磁石と吸着体との連結の支障になることがない。
【００１６】
また、本発明に係る天板付什器は、前記天板部には、前記天板部の前記奥行方向の前記一端部から下方に突出する天板補強部が一体的に設けられ、前記第一突出部は前記天板補強部における前記天板部の前記幅方向の前記一端部であり、前記第二突出部は前記天板補強部における前記天板部の前記幅方向の前記他端部であってもよい。
【００１７】
このように構成された天板付什器では、天板補強部が、天板部の奥行方向の一端部から下方に突出するように一体的に設けられている。よって、天板の自重が天板補強部の自重分が重くなるため、天板が衝突等の外的衝撃に対して強くなる。
また、磁石及び吸着体は、それぞれ天板を補強する天板補強部の一部である第一突出部及び第二突出部に設けられている。よって、磁石及び吸着体自体の破損が防止されるとともに、磁石及び吸着体を体裁よく設けることができる。
【００１８】
また、本発明に係る天板付什器は、前記磁石は前記第一突出部から前記天板部にまで上下方向にわたって配置されるとともに、前記吸着体は前記第二突出部から前記天板部にまで上下方向にわたって配置されていてもよい。
【００１９】
このように構成された天板付什器では、磁石は第一突出部から天板部にまで上下方向にわたって配置されるとともに、吸着体は第二突出部から天板部にまで上下方向にわたって配置されている。よって、磁石と吸着体との吸着力を第一突出部から天板部までの厚み分で確保することができるため、天板付什器どうしをより一層強固に連結することができる。
【００２０】
また、本発明に係る天板付什器は、前記天板部の前記奥行方向の前記一端部の下部には、天板補強部材が取り付けられ、前記第一突出部は前記天板補強部材における前記天板部の前記幅方向の前記一端部であるとともに、前記第二突出部は前記天板補強部材における前記天板部の前記幅方向の前記他端部であってもよい。
【００２１】
このように構成された天板付什器では、天板補強部材が、天板部の奥行方向の一端部の下部に取り付けられている。よって、天板の自重が天板補強部材の自重分が重くなるため、天板が衝突等の外的衝撃に対して強くなる。
また、磁石及び吸着体は、それぞれ天板を補強する天板補強部材の一部である第一突出部及び第二突出部に設けられている。よって、磁石及び吸着体自体の破損が防止されるとともに、磁石及び吸着体を体裁よく設けることができる。
【発明の効果】
【００２２】
本発明に係る天板付什器によれば、互いに作業性良く連結できるとともに、連結された天板付什器どうしを作業性良く分離することができる。
【図面の簡単な説明】
【００２３】
【図１】本発明の第一実施形態に係る天板付什器の斜視図である。
【図２】本発明の第一実施形態に係る天板付什器の天板を分解した状態を後方から見た斜視図である。
【図３】本発明の第一実施形態に係る２台の天板付什器を幅方向に隣接させた斜視図である。
【図４】本発明の第一実施形態に係る２台の天板付什器を奥行方向に隣接させた斜視図である。
【図５】本発明の第二実施形態に係る天板付什器の（ａ）天板を下方から見た斜視図であり、（ｂ）（ａ）のＰ−Ｐ断面図である。
【図６】本発明の第三実施形態に係る天板付什器の（ａ）天板を下方から見た斜視図であり、（ｂ）（ａ）のＱ−Ｑ断面図である。
【図７】本発明の第四実施形態に係る天板付什器の（ａ）天板を下方から見た斜視図であり、（ｂ）（ａ）のＲ−Ｒ断面図である。
【発明を実施するための形態】
【００２４】
（第一実施形態）
以下、本発明の第一実施形態として、天板付什器の一例であるデスク装置について説明する。
図１は、本発明の第一実施形態に係る天板付什器の斜視図である。
【００２５】
図１に示すように、デスク装置１０は、床面Ｆから立設する脚体１と、脚体１に支持された天板２と、天板２の下方に設けられた幕板６と、を備えている。
ここで、デスク装置１０において、床面Ｆ側を「下側」、その反対側を「上側」と称する。また、利用者が対向する側を「前側」、その反対側を「後側」と称する。また、前後方向（奥行方向）と直交する水平方向をデスク装置１０の「幅方向」と称する。
【００２６】
脚体１は、デスク装置１０の幅方向に離間して配置された一対の支持脚１１，１１と、各支持脚１１を支持する補助脚１２と、一対の支持脚１１，１１の上部どうしを連結する連結フレーム（不図示）と、を有している。
【００２７】
支持脚１１は、床面Ｆから上方に延び、天板取付部１１Ｔを介して天板２に連結されている。本実施形態では、支持脚１１は、上方に向かうにしたがって次第に前方に向かうように傾斜している。支持脚１１の下端部には、床面Ｆ上を走行可能なキャスター１１Ｃが設けられている。
【００２８】
補助脚１２は、床面Ｆから上方に延び、脚取付部１２Ｔを介して支持脚１１に連結されている。本実施形態では、補助脚１２は、上方に向かうにしたがって次第に後方に向かうように傾斜している。補助脚１２の下端部には、床面Ｆ上を走行可能なキャスター１２Ｃが設けられている。
【００２９】
天板２は、平面視矩形状に形成された天板部２０と、天板部２０の下面に設けられたマグネット部材（第一突出部、磁石）３０，４０及び受け部材（第二突出部、吸着体）５０と、を有している。
【００３０】
天板部２０は、前後方向及び幅方向にわたって一定の厚みを有するように形成されている。天板部２０の上面２０Ｕは、利用者の執務等を可能とする作業面とされている。
【００３１】
天板部２０は、支持脚１１に設けられたレバー１３の操作で、図示しない周知の回動機構（不図示）により支持脚１１に対して回動可能とされている。天板部２０は、図１に示すように作業面２０Ｕが床面Ｆと平行とされ上方を向く状態から、例えば作業面２０Ｕが鉛直面に沿って後方を向くように配置された状態まで回動可能とされている。
【００３２】
図２は、デスク装置１０の天板２を分解した状態を後方から見た斜視図である。
図２に示すように、マグネット部材３０，４０は、天板部２０の後端部（奥行方向の一端部）２０Ｂ且つ幅方向の一端部（一端部）２０Ｘにおいて、天板部２０から下方に突出するように設けられている。マグネット部材３０は天板部２０の幅方向の一端部２０Ｘに沿って配置され、マグネット部材４０は天板部２０の後端部２０Ｂに沿って配置されている。
【００３３】
マグネット部材３０は、筐体部３１と、筐体部３１に収容された複数のマグネット（第一磁石部）３６，３６…と、マグネット３６を筐体部３１から突出させる方向に付勢する付勢部（不図示。以下同じ。）と、を有している。
【００３４】
筐体部３１は、天板部２０の下面に取り付けられ板状に形成された取付部３２と、箱状をなし取付部３２に一体に設けられマグネット３６を収容する収容部３３と、を有している。
【００３５】
取付部３２には、上下方向に貫通する取付孔３２Ｘ，３２Ｘが、天板部２０の前後方向に離間して一対形成されている。各取付孔３２Ｘにねじ込まれた螺子（不図示）により、マグネット部材３０は天板２の下面に固定されている。
【００３６】
収容部３３において、天板部２０の幅方向の一端部２０Ｘに沿う面３３Ａには、上下方向及び前後方向に離間してマグネット孔３３Ｘが形成されている。本実施形態では、４個のマグネット孔３３Ｘ，３３Ｘ…が形成されている。
【００３７】
筐体部３１に収容された各マグネット３６は、それぞれマグネット孔３３Ｘから外方（天板部２０の幅方向の一端部２０Ｘ側）に突出するように、付勢部により付勢されている。これにより、通常の状態では、マグネット３６は、筐体部３１のマグネット孔３３Ｘから突出している。
【００３８】
マグネット孔３３Ｘは、天板部２０の幅方向の一端部２０Ｘに沿って配置され、天板部２０の前後方向に所定の長さを有するように形成されている。これにより、各マグネット孔３３Ｘから突出するマグネット３６は、天板部２０の幅方向の一端部２０Ｘに沿って配置され、天板部２０の前後方向に所定の長さを有する構成とされている。
【００３９】
同様に、マグネット部材４０は、筐体部４１と、複数のマグネット（第二磁石部）４６，４６と、付勢部（不図示。以下同じ。）と、を有している。筐体部４１は、取付部４２と、収容部４３と、を有している。取付部４２には、取付孔４２Ｘ，４２Ｘが、天板部２０の幅方向に離間して一対形成されている。各取付孔４２Ｘにねじ込まれた螺子（不図示）により、マグネット部材４０は天板２の下面に固定されている。
【００４０】
収容部４３において、天板部２０の後端部２０Ｂに沿う面には、上下方向に離間してマグネット孔４３Ｘが形成されている。本実施形態では、２個のマグネット孔４３Ｘ，４３Ｘが形成されている。
【００４１】
筐体部４１に収容された各マグネット４６は、それぞれマグネット孔４３Ｘから外方（天板部２０の後端部２０Ｂ側）に突出するように、付勢部により付勢されている。これにより、通常の状態では、マグネット４６は、筐体部４１のマグネット孔４３Ｘから突出している。
【００４２】
マグネット孔４３Ｘは、天板部２０の後端部２０Ｂに沿って配置され、天板部２０の幅方向に所定の長さを有するように形成されている。これにより、各マグネット孔４３Ｘから突出するマグネット４６は、天板部２０の後端部２０Ｂに沿って配置され、天板部２０の幅方向に所定の長さを有する構成とされている。
【００４３】
受け部材５０は、天板部２０の後端部２０Ｂ且つ幅方向の他端部（他端部）２０Ｙにおいて、天板部２０から下方に突出するように設けられている。
【００４４】
受け部材５０は、筐体部５１と、筐体部５１の外面に設けられた複数の受け部５６，６６と、を有している。
【００４５】
筐体部５１は、天板部２０の下面に取り付けられ板状に形成された取付部５２と、箱状をなし取付部５２に嵌め込まれる等して一体とされた受け支持部５３と、を有している。
【００４６】
取付部５２には、上下方向に貫通する取付孔５２Ｘが複数形成されている。本実施形態では、３個の取付孔５２Ｘ，５２Ｘ，５２Ｘが形成されている。各取付孔５２Ｘにねじ込まれた螺子（不図示）により、受け部材５０は天板２の下面に固定されている。
【００４７】
受け支持部５３において、天板部２０の幅方向の他端部２０Ｙに沿う面５３Ｙには、受け部（第一吸着部）５６が設けられている。また、天板部２０の後端部２０Ｂに沿う面５３Ｂには、受け部（第二吸着部）６６が設けられている。
【００４８】
受け部５６には、天板部２０の前後方向に離間して２個の取付孔５６Ｘ，５６Ｘが形成されている。受け部６６には、天板部２０の幅方向に離間して２個の取付孔６６Ｘ，６６Ｘが形成されている。各取付孔５６Ｘ，６６Ｘにねじ込まれた螺子（不図示）により、受け部５６，６６は筐体部５１に固定されている。
【００４９】
受け部５６は、マグネットの磁力により吸着可能とされている。本実施形態では、受け部５６は、銅にニッケルめっきを施した構成とされているが、鉄やコバルト等磁力により吸着可能な材料であれば適宜選択可能である。
【００５０】
受け部５６は、天板部２０の幅方向の他端部２０Ｙに沿って配置され、天板部２０の前後方向及び上下方向に所定の長さを有するように構成とされている。また、受け部６６は、天板部２０の後端部２０Ｂに沿って配置され、天板部２０の幅方向及び上下方向に所定の長さを有するように構成とされている。
【００５１】
図１に示すように、幕板６は、板状に形成され、天板部２０の下方に鉛直面に沿って設けられている。幕板６の上部は、図示しない連結具により天板２の下面や一対の支持脚１１の上部どうしを連結する連結フレーム（不図示）等に連結されている。また、幕板６の下部は、連結アーム１５により支持脚１１に連結されている。
【００５２】
上記のデスク装置１０において、支持脚１１を天板部２０に固定する天板取付部１１Ｔは、マグネット部材３０，４０及び受け部材５０よりも、前方に配置されている。これにより、脚体１は、マグネット部材３０，４０及び受け部材５０よりも前方で天板部２０に固定されている。また、幕板６も、マグネット部材３０，４０及び受け部材５０よりも、前方に配置されている。
【００５３】
図３は、２台のデスク装置１０，１０を幅方向に隣接させた斜視図である。図４は、２台のデスク装置１０を前後方向に隣接させた斜視図である。
図３に示すように、一方のデスク装置１０のマグネット部材３０のマグネット３６と、他方のデスク装置１０の受け部材５０の受け部５６（図２参照。以下同じ。）とを、マグネット３６の磁力により吸着させることにより、２台のデスク装置１０，１０を幅方向に隣接させ連結することができる。
また、図４に示すように、一方のデスク装置１０のマグネット部材４０（図２参照。以下同じ。）のマグネット４６（図２参照。以下同じ。）と、他方のデスク装置１０の受け部材５０の受け部６６（図２参照。以下同じ。）とを、マグネット４６の磁力により吸着させることにより、２台のデスク装置１０，１０を奥行方向に隣接させ連結することができる。
【００５４】
この際に、利用者は、一方のデスク装置１０の天板部２０の前側等を手で持ち移動させ、幅方向に連結する場合には、他方のデスク装置１０の天板部２０の後側から下方に突出する受け部材５０（マグネット部材３０）を視認して、当該受け部材５０（マグネット部材３０）に、自身が移動させているデスク装置１０の天板部２０から下方に突出するマグネット部材３０（受け部材５０）を近づけるように移動させる。また、前後方向に連結する場合には、他方のデスク装置１０の天板部２０の後側（背面側）から下方に突出する受け部材５０（マグネット部材４０）を視認して、当該受け部材５０（マグネット部材４０）に、自身が移動させているデスク装置１０の天板部２０から下方に突出するマグネット部材４０（受け部材５０）を近づけるように移動させる。
【００５５】
受け部材５０とマグネット部材３０，４０とが近接すると、マグネット部材３０のマグネット３６，４６の磁力により互いに吸着する。幅方向に連結する場合に、デスク装置１０，１０どうしの前後方向の位置がずれていれば、吸着後、前後方向に微調整することにより、天板部２０，２０の後端部２０Ｂ，２０Ｂどうしが揃った状態で、デスク装置１０は連結することができる。また、前後方向に連結する場合に、デスク装置１０，１０どうしの幅方向の位置がずれていれば、吸着後、幅方向に微調整することにより、天板部２０，２０の幅方向の一端部２０Ｘと他端部２０Ｙとが揃った状態で、デスク装置１０，１０どうしを連結することができる。
【００５６】
ここで、マグネット３６，４６は、付勢部により、それぞれ天板部２０の幅方向の一端部２０Ｘ側、天板部２０の後端部２０Ｂ側に付勢されている。このため、デスク装置１０，１０どうしが連結されると、マグネット３６，４６の面と受け部５６，６６の面とが対向する面直方向Ｘ１方向（図３参照）、Ｘ２方向（図４参照）に、大きな吸着力を発揮する。
【００５７】
上記のように、連結されたデスク装置１０，１０を分離するには、天板２どうしを引き離す方向にデスク装置１０に力を加えると、分離することができる。ここで、鉛直軸を中心として回転させるＹ１方向（図３参照）、Ｙ２方向（図４参照）に力を加えると、容易に分離することができる。さらに、マグネット３６，４６の面及び受け部５６，６６の面に沿うＺ１方向（図３参照）、Ｚ２方向（図４参照）に力を加えると、さらに容易に分離することができる。
【００５８】
このように構成されたデスク装置１０では、天板部２０の後端部２０Ｂ且つ天板部２０の幅方向の一端部２０Ｘから下方に突出するマグネット部材３０，４０にマグネット３６，４６が設けられるとともに、天板部２０の後端部２０Ｂ且つ幅方向の他端部２０Ｙから下方に突出する受け部材５０に受け部５６，６６が設けられている。デスク装置１０のマグネット３６，４６をデスク装置１０の受け部５６，６６に磁力により吸着させる際には、各天板部２０から下方に突出するマグネット部材３０，４０及び受け部材５０を視認し、マグネット部材３０，４０と受け部材５０とを大まかに位置合わせした後、天板部２０の前後方向、幅方向に位置を微調整すれば、マグネット部材３０，４０と受け部材５０とが吸着する。このように、マグネット部材３０，４０及び受け部材５０は、それぞれ天板部２０の隅部に設けられており且つ天板部２０から下方に突出して目立つため、マグネット部材３０，４０及び受け部材５０の位置を把握しやすい。よって、マグネット部材３０，４０及び受け部材５０の天板部２０の前後方向及び幅方向の位置を合わせしやすいため、デスク装置１０，１０どうしを作業性良く連結することができる。
また、各デスク装置１０，１０の天板２，２どうしを引き離せば、マグネット部材３０，４０に設けられたマグネット３６，４６と受け部材５０に設けられた受け部５６，６６とは離れるため、デスク装置１０，１０どうしを容易に分離することができる。
【００５９】
また、デスク装置１０のマグネット部材３０のマグネット３６と、デスク装置１０の受け部材５０の受け部５６とを吸着させることで、デスク装置１０，１０どうしを各天板部２０，２０の幅方向に連結することができる。また、デスク装置１０のマグネット部材４０のマグネット４６と、デスク装置１０の受け部材５０の受け部６６とを吸着させることで、デスク装置１０，１０どうしを各天板部２０，２０の前後方向に連結することができる。このように、デスク装置１０，１０どうしを幅方向及び前後方向に連結することができるため、利便性が高い。
【００６０】
また、マグネット３６，４６及び受け部５６，６６が天板部２０の端部２０Ｂ，２０Ｘ，２０Ｙに沿って配置されている。また、マグネット３６及び受け部５６は天板部２０の前後方向に所定の長さを有しており、マグネット４６及び受け部６６は天板部２０の幅方向に所定の長さを有しているため、マグネット３６，４６と受け部５６，６６とは各天板部２０どうしが対向するＸ１方向、Ｘ２方向への吸着力が大きくなり、デスク装置１０，１０どうしを強固に連結することができる。その一方で、Ｙ１方向、Ｙ２方向やＺ１方向、Ｚ１方向への吸着力はＸ１方向、Ｘ２方向への吸着力よりも小さくなり、当該方向に離間させることでデスク装置１０，１０どうしを容易に分離することができる。
【００６１】
また、脚体１はマグネット部材３０，４０及び受け部材５０よりも前方で天板部２０に連結されているため、脚体１がマグネット３６，４６と受け部５６，６６との連結の支障になることがない。
【００６２】
天板部２０の厚みが薄くて天板部２０の厚み内に磁石及び吸着体を設けることができない場合でも、天板部２０の下部にマグネット部材３０，４０及び受け部材５０を設けることでデスク装置１０，１０どうしを連結することができる。
【００６３】
（第二実施形態）
上記に示す第二実施形態について、主に図５を用いて説明する。
以下の実施形態において、前述した実施形態で用いた部材と同一の部材には同一の符号を付して、その説明を省略する。
【００６４】
図５は、本発明の第二実施形態に係る天板付什器の（ａ）天板を下方から見た斜視図であり、（ｂ）（ａ）のＰ−Ｐ断面図である。
図５に示すように、デスク装置の天板１０２の後端部１２０Ｂには、天板補強部１２６が天板部１２０と一体に設けられている。天板補強部１２６は、天板部１２０の後端部１２０Ｂに沿って設けられた後端枠部１２７と、後端枠部１２７の両端部から天板部１２０の幅方向の端部１２０Ｘ，１２０Ｙに沿ってそれぞれ前方に延びる延出部１２８と、を有している。延出部１２８の端部１２８Ａは、前方に向かうにしたがって次第に上方に向かうように傾斜している。
【００６５】
天板補強部１２６のうち天板部１２０の後端部１２０Ｂ側且つ幅方向の一端部１２０Ｘ側が第一突出部１３０とされ、天板補強部１２６のうち天板部１２０の後端部１２０Ｂ側且つ幅方向の他端部１２０Ｙ側が第二突出部１５０とされている。第一突出部１３０には、マグネット１３６，１４６が埋め込まれている。第二突出部１５０には、受け部１５６，１６６が埋め込まれている。
【００６６】
天板補強部１２６の幅方向の一端部１２０Ｘに沿う面にはマグネット１３６が露出しており、天板補強部１２６の後端部１２０Ｂに沿う面における一端部１２０Ｘ側にはマグネット１４６が露出している。また、天板補強部１２６の幅方向の他端部１２０Ｙに沿う面には受け部１５６が露出しており、天板補強部１２６の後端部１２０Ｂに沿う面における他端部１２０Ｙ側には受け部１６６が露出している。
【００６７】
このように構成されたデスク装置では、天板補強部１２６が、天板部１２０の後端部１２０Ｂから下方に突出するように一体的に設けられている。よって、天板１０２の自重が天板補強部１２６の自重分重くなるため、天板１０２が衝突等の外的衝撃に対して強くなる。
また、マグネット１３６，１４６及び受け部１５６，１６６は、それぞれ天板１０２を補強する天板補強部１２６の一部である第一突出部１３０及び第二突出部１５０に埋め込まれている。よって、マグネット１３６，１４６及び受け部１５６，１６６の露出が抑えられるため、マグネット１３６，１４６及び受け部１５６，１６６自体の破損が防止されるとともに、マグネット１３６，１４６及び受け部１５６，１６６を体裁よく設けることができる。
【００６８】
（第三実施形態）
上記に示す第三実施形態について、主に図６を用いて説明する。
図６は、本発明の第三実施形態に係る天板付什器の（ａ）天板を下方から見た斜視図であり、（ｂ）（ａ）のＱ−Ｑ断面図である。
図６に示すように、デスク装置の天板２０２において、天板補強部１２６から天板部１２０まで上下方向にわたって、マグネット２３６，２４６及び受け部２５６，２６６が埋め込まれている。
【００６９】
天板補強部１２６の幅方向の一端部１２０Ｘに沿う面にはマグネット２３６が露出しており、天板補強部１２６の後端部１２０Ｂに沿う面における一端部１２０Ｘ側にはマグネット２４６が露出している。また、天板補強部１２６の幅方向の他端部１２０Ｙに沿う面には受け部２５６が露出しており、天板補強部１２６の後端部１２０Ｂに沿う面における他端部１２０Ｙ側には受け部２６６が露出している。
【００７０】
このように構成されたデスク装置では、マグネット２３６，２４６は天板補強部１２６から天板部２０まで上下方向にわたって配置されるとともに、受け部２５６，２６６は天板補強部１２６から天板部２０まで上下方向にわたって配置されている。よって、マグネット２３６，２４６と受け部２５６，２６６との吸着力を天板補強部１２６から天板部１２０までの厚み分で確保することができるため、デスク装置どうしをより一層強固に連結することができる。
【００７１】
（第四実施形態）
上記に示す第四実施形態について、主に図７を用いて説明する。
図７は、本発明の第四実施形態に係る天板付什器の（ａ）天板を下方から見た斜視図であり、（ｂ）（ａ）のＲ−Ｒ断面図である。
図７に示すように、デスク装置の天板部２０の後端部２０Ｂには、天板部２０とは別体として構成された天板補強部材３２６が取り付けられている。天板補強部材３２６は、天板部２０の後端部２０Ｂに沿って設けられた後端枠部３２７と、後端枠部３２７の両端部から天板部２０の幅方向の端部２０Ｘ，２０Ｙに沿って前方に延びる延出部３２８と、を有している。延出部３２８の端部３２８Ａは、前方に向かうにしたがって次第に上方に向かうように傾斜している。
【００７２】
天板補強部材３２６のうち天板部２０の後端部２０Ｂ側且つ幅方向の一端部２０Ｘ側が第一突出部３３０とされ、天板補強部材３２６のうち天板部２０の後端部２０Ｂ側且つ幅方向の他端部２０Ｙ側が第二突出部３５０とされている。第一突出部３３０には、マグネット３３６，３４６が埋め込まれている。第二突出部３５０には、受け部３５６，３６６が埋め込まれている。
【００７３】
天板補強部材３２６の幅方向の一端部２０Ｘに沿う面にはマグネット３３６が露出しており、天板補強部材３２６の後端部２０Ｂに沿う面における一端部２０Ｘ側にはマグネット３４６が露出している。また、天板補強部材３２６の幅方向の他端部２０Ｙに沿う面には受け部３５６が露出しており、天板補強部材３２６の後端部２０Ｂに沿う面における他端部２０Ｙ側には受け部３６６が露出している。
【００７４】
このように構成されたデスク装置では、天板補強部材３２６が、天板部２０の後端部２０Ｂの下部に、天板部２０とは別部材として取り付けられている。よって、天板３０２の自重が天板補強部材３２６の自重分重くなるため、天板３０２が衝突等の外的衝撃に対して強くなる。
また、マグネット３３６，３４６及び受け部３５６，３６６は、それぞれ天板３０２を補強する天板補強部材３２６の一部である第一突出部３３０及び第二突出部３５０に埋め込まれている。よって、マグネット３３６，３４６及び受け部３５６，３６６の露出が抑えられるため、マグネット３３６，３４６及び受け部３５６，３６６自体の破損が防止されるとともに、マグネット３３６，３４６及び受け部３５６，３６６を体裁よく設けることができる。
【００７５】
なお、上述した実施の形態において示した各構成部材の諸形状や組み合わせ等は一例であって、本発明の主旨から逸脱しない範囲において設計要求等に基づき種々変更可能である。
【００７６】
例えば、上記に示す実施形態において、磁石は、天板部２０の幅方向の一端部２０Ｘに沿うマグネット３６と、後端部２０Ｂに沿うマグネット４６とで構成されているが、本発明はこれに限られない。磁石及び吸着体は、それぞれ天板部２０の奥行方向の両隅部に設けられていればよく、天板部２０の幅方向の一端部２０Ｘに沿うマグネット３６と、幅方向の他端部２０Ｙに沿う受け部５６とのみを備える構成であってもよい。あるいは、天板部２０の後端部２０Ｂに沿うマグネット４６と、後端部２０Ｂに沿う受け部６６とのみを備える構成であってもよい。
【００７７】
また、上記実施形態では、天板付什器として、デスク装置１０を例示したが、これに限らず、天板２を備えていればデスク以外の例えばカウンター、テーブル等であってもよい。また、脚体１の構成は、上記に示す実施形態に限られず、上向きＴ字状をなしていたり、パネル状の部材で構成される等適宜選択可能である。
【符号の説明】
【００７８】
１…脚体
２…天板
６…幕板
１０…デスク装置
１１…支持脚
１２…補助脚
２０…天板部
２０Ｕ…上面
２０Ｂ…後端部（奥行方向の一端部）
２０Ｘ…一端部（幅方向の一端部）
２０Ｙ…他端部（幅方向の他端部）
３０…マグネット部材（第一突出部、磁石）
３６…マグネット（第一磁石部）
４６…マグネット（第二磁石部）
５０…受け部材（第二突出部、吸着体）
５６…受け部（第一吸着部）
６６…受け部（第二吸着部）
１２６…天板補強部
３２６…天板補強部材
【図１】
2016209292.tif 000003
【図２】
2016209292.tif 000004
【図３】
2016209292.tif 000005
【図４】
2016209292.tif 000006
【図５】
2016209292.tif 000007
【図６】
2016209292.tif 000008
【図７】
2016209292.tif 000009